(57)【要約】【課題】判定結果の信頼性を向上できる、実施判定方法を提供する。【解決手段】写真処理装置１０は、各構成要素を制御するコントローラ１６を含む。コントローラ１６は、写真処理装置１０の終業点検の際に終業点検を構成する作業が適正に実施されたか否かを判定する。コントローラ１６は、或る作業の作業時間と当該或る作業に対応して予め設定されている所定時間とを比較し、当該或る作業の作業時間が所定時間に対して所定範囲内であるか否かを判定する。そして、当該或る作業の作業時間が所定時間に対して所定範囲内である場合、装置の状態が当該或る作業を実施した後の状態であるか否かを判定する。【選択図】図９
2007226622.tif 000002
【特許請求の範囲】
【請求項１】
装置のメンテナンスに関する作業が実施されたか否かを判定する実施判定方法であって、
前記作業を開始してから前記作業を終了するまでの時間が所定範囲内であるか否かを判定する第１工程、および
前記第１工程で前記時間が前記所定範囲内である場合に前記装置の状態を検出する検出手段からの情報に基づいて前記作業が実施されたか否かを判定する第２工程を備える、実施判定方法。
【発明の詳細な説明】
【技術分野】
【０００１】
この発明は実施判定方法に関し、より特定的には、装置のメンテナンスに関する作業が実施されたか否かを判定する実施判定方法に関する。
【背景技術】
【０００２】
たとえば特許文献１には、オペレータの技能や習熟度をオペレータによる入力操作の時間に基づいて判定する技術が開示されている。このような技術を写真処理装置等のメンテナンスに利用し、メンテナンスに関する作業が適正に実施されたか否かを当該作業を開始してから終了するまでの時間（作業時間）に基づいて判定することが考えられる。つまり、メンテナンスに関する作業の実施判定を作業時間に基づいて行うことが考えられる。
【特許文献１】特開昭６３−２９１１１１号公報
【発明の開示】
【発明が解決しようとする課題】
【０００３】
しかし、作業時間のみによる実施判定では、作業が適正に実施されたか否かが不確かであり、判定結果の信頼性が低いという問題があった。
【０００４】
また、装置の状態を検出する検出手段からの情報に基づいて実施判定することも考えられる。しかし、この場合、装置が実施済みの状態であれば作業の実施前であっても作業が実施されたものと判定するので、作業が実際に実施されたか否かが不確かである。
【０００５】
それゆえに、この発明の主たる目的は、判定結果の信頼性を向上できる、実施判定方法を提供することである。
【課題を解決するための手段】
【０００６】
上述の目的を達成するために、請求項１に記載の実施判定方法は、装置のメンテナンスに関する作業が実施されたか否かを判定する実施判定方法であって、作業を開始してから作業を終了するまでの時間が所定範囲内であるか否かを判定する第１工程、および第１工程で時間が所定範囲内である場合に装置の状態を検出する検出手段からの情報に基づいて作業が実施されたか否かを判定する第２工程を備える。
【０００７】
請求項１に記載の実施判定方法では、メンテナンスに関する作業の作業時間が所定範囲内でありかつ装置の状態が作業を実施した後の状態である場合、作業が適正に実施されたと判定する。このように作業時間と装置の状態とに基づいて実施判定を行うことによって、メンテナンスに関する作業が適正に実施されたか否かの判定結果の信頼性を向上できる。
【発明の効果】
【０００８】
この発明によれば、判定結果の信頼性を向上できる。
【発明を実施するための最良の形態】
【０００９】
以下、図面を参照して、この発明の実施の形態について説明する。
図１を参照して、この発明が適用される写真処理装置１０について説明する。
写真処理装置１０は、ラボ（現像所）等に設置され、写真用のフィルム等をスキャニングして得た画像データに基づく画像を銀塩印画紙Ｐに露光（焼き付け）形成することによって写真プリントを作製する。
【００１０】
写真処理装置１０は、銀塩印画紙（以下、単に印画紙という）Ｐに露光処理を施すプリント部１２、印画紙Ｐに現像処理と乾燥処理とを施すプロセッサ部１４、写真処理装置１０の動作を制御するコントローラ１６、写真用のフィルムをスキャニングするスキャナ１８、オペレータがデータ入力や指示を行うための入力部２０、およびＧＵＩ（Graphical User Interface）やオペレータへのメッセージ等を表示する表示部２２を含む。
【００１１】
プリント部１２は、長尺の印画紙Ｐを収納するペーパーマガジン２４を含む。ペーパーマガジン２４に収納される印画紙Ｐは、所定の搬送経路（図１において二点鎖線で示す）に沿って引き出され、図示しないカッタによって適宜のサイズにカットされる。カット済みの印画紙Ｐの搬送経路上には露光ユニット２６が配置される。露光ユニット２６は、印画紙Ｐにレーザ光を照射し、印画紙Ｐに画像（潜像）を露光形成する。プリント部１２で露光処理が施された印画紙Ｐはプロセッサ部１４に送られる。
【００１２】
プロセッサ部１４は、現像部２８と乾燥部３０とを含む。現像部２８は複数の処理槽を有し、複数の処理槽内には露光済みの印画紙Ｐに現像、定着および洗浄等の処理を行うための種類の異なる処理液がそれぞれ充填されている。
【００１３】
また、プロセッサ部１４には、給水タンク３２と廃液タンク３４とが設けられる。給水タンク３２は複数の処理槽にそれぞれ対応して複数設けられ、給水タンク３２から対応する処理槽に水や処理液が適宜補給される。廃液タンク３４は複数の処理槽にそれぞれ対応して複数設けられ、廃液タンク３４には対応する処理槽から廃液が適宜排出される。なお、煩雑化を防止するために、図１においては給水タンク３２と廃液タンク３４とを１つずつ示す。
【００１４】
給水タンク３２には給水タンク３２内の液量を検出するための液量センサ３６が設けられる。同様に、廃液タンク３４には廃液タンク３４内の液量を検出するための液量センサ３８が設けられる。検出手段である液量センサ３６，３８からの検出信号（情報）は、コントローラ１６に入力される。
【００１５】
また、プロセッサ部１４には、現像部２８の上方を覆うカバー４０が開閉可能に設けられる。写真処理装置１０の運転中には、各処理槽内の処理液が図示しないヒータによって約４０℃に温められる。このために、或る処理槽の処理液が気化した後に液化して他の処理槽の処理液に混入し、他の処理槽の処理液をコンタミネーション（汚染）するおそれがある。そこで、写真処理装置１０の運転中には、図示しないファンを駆動させることによってプロセッサ部１４内の換気が行われる。また、写真処理装置１０の運転停止後には、カバー４０を開扉しておくことによってプロセッサ部１４内の換気が行われる。写真処理装置１０では、このようにプロセッサ部１４内を換気することによって、処理液のコンタミネーションが防止される。カバー４０には、カバー４０の開閉状態を検出するための開閉センサ４２が設けられる。検出手段である開閉センサ４２からの検出信号は、コントローラ１６に入力される。
【００１６】
露光済みの印画紙Ｐに形成された潜像は、現像部２８の複数の処理槽内を順次通過することによって現像される。現像部２８で現像処理が施された印画紙Ｐは、乾燥部３０に送られ、ヒータ４４が発する熱によって乾燥された後に、排出口１４ａから仕上がりプリントとして排出される。
【００１７】
パーソナルコンピュータ等であるコントローラ１６は、ＣＰＵバスで相互に接続されたＣＰＵ１６ａ、ＲＯＭ１６ｂ、ＲＡＭ１６ｃ、およびハードディスクドライブ（ＨＤＤ：ハードディスクを含む）１６ｄを含む。
【００１８】
ＣＰＵ１６ａは、ＲＯＭ１６ｂやＨＤＤ１６ｄ等に格納される各種のプログラムを実行し、写真処理装置１０の各構成要素に指示を与え、かつそれらの動作を制御する。
【００１９】
ＲＯＭ１６ｂは、起動用プログラム等を格納している。起動用プログラムは、写真処理装置１０の電源投入時にＣＰＵ１６ａによって実行される。これによって、ＨＤＤ１６ｄに格納されているオペレーティングシステム（ＯＳ）等のプログラムがＲＡＭ１６ｃにロードされ、各種の処理や制御が実行可能となる。
【００２０】
ＲＡＭ１６ｃは、ＣＰＵ１６ａの作業領域として使用される。ＲＡＭ１６ｃには、写真処理装置１０を制御するプログラムが展開され、ＲＡＭ１６ｃは、このプログラムによる処理結果、処理のための一時データ、表示部２２に表示させる表示内容に対応する表示用データ（テキストデータ、画像データ等）等を保持する。
【００２１】
ＨＤＤ１６ｄは、プログラム、制御用データ、テキストデータ、画像データ等を、ＣＰＵ１６ａの指示に従ってハードディスクに対して書き込みまた読み出す。この実施形態では、ＨＤＤ１６ｄのハードディスクに、図２〜図７に示すような画面に対応する表示用データが格納されるとともに、図８および図９に示す動作を実行するためのプログラムが格納される。また、この実施形態では、ＨＤＤ１６ｄのハードディスクに、終業点検を構成する複数の作業毎に予め設定される時間（所定時間）に関するデータが格納される。
【００２２】
スキャナ１８は、写真用のフィルムに形成されたコマ画像に対応する画像データを取得するために写真用のフィルムをスキャニングする。スキャナ１８にはオートフィルムキャリア（ＡＦＣ）４６が着脱可能に設けられる。また、スキャナ１８には、ＡＦＣ４６の装着状態を検出するためのロックセンサ４８と、ＡＦＣ４６においてフィルム等が通過したことを検出するための通過センサ４９とが設けられる。検出手段であるロックセンサ４８および通過センサ４９からの検出信号は、コントローラ１６に入力される。
【００２３】
スキャナ１８は、ＡＦＣ４６によって写真用のフィルムを搬送しつつ写真用のフィルムをスキャニングし、写真用のフィルムに形成されたコマ画像に対応する画像データをコントローラ１６に入力する。コマ画像に対応する画像データは、たとえばＨＤＤ１６ｄのハードディスクに格納され、露光処理の際に露光ユニット２６に入力される。これによって、印画紙Ｐに写真フィルムのコマ画像が露光形成される。
【００２４】
入力部２０はキーボードやマウス等からなり、表示部２２はＣＲＴモニタ等からなる。表示部２２は、コントローラ１６のＲＡＭ１６ｃ上に展開される表示用データに対応する表示内容（テキスト、画像等）を表示する。
【００２５】
このように構成される写真処理装置１０は、次回の起動時に写真処理装置１０を円滑に動作させるために、たとえばラボの一日に終業時に終業点検される。メンテナンスの一例である終業点検は、各部の洗浄や次回の起動時に必要な消耗品の補充等、複数の作業によって構成される。表１に終業点検を構成する作業の一例を示す。
【００２６】
【表１】
2007226622.tif 000003
【００２７】
表１に示すように、この実施形態では、１１項目の作業によって終業点検が構成される。以下、終業点検を構成する作業に１〜１１の番号を付して説明する。番号１の「集計データ表示」は、その日に作製したプリントの枚数等を表示し必要に応じて出力する作業である。番号２の「設定データ保存」は、図示しないメディアドライブに装填されたフレキシブルディスクやＭＯ等のメディアに写真処理装置１０の設定状態を保存する作業である。番号３の「ＡＦＣクリーニング」は、図示しないクリーニングリーダをＡＦＣ４６に搬送させることによってＡＦＣ４６の搬送機構の埃を除去する作業である。番号４の「プログラムタイマー時刻設定」は、写真処理装置１０を自動的に起動させる時刻を設定する作業である。番号５の「ディスクデフラグメンテーション実行設定」は、ＨＤＤ１６ｄのハードディスクの領域を整理するためのデフラグメンテーションソフトを次回の起動時に実行させるか否かを設定する作業である。番号６の「自動洗浄」は、現像部２８の各処理槽に処理液の結晶が付着しないように現像部２８を洗浄する作業である。番号７の「廃液回収」は、廃液タンク３４内の廃液を回収する作業である。番号８の「給水タンク液量確認」は、給水タンク３２内の液量を確認し、必要に応じて給水タンク３２に水や処理液を補給する作業である。番号９の「カバー開扉」は、処理液のコンタミネーションを防止するためにカバー４０を開扉する作業である。番号１０の「スキャナ光学系およびＡＦＣ清掃」は、ＡＦＣ４６をスキャナ１８から取り外してスキャナ１８の光学系を清掃し、かつＡＦＣ４６を分解して調整および清掃する作業である。番号１１の「ＡＦＣ装着」は、番号１０の作業でスキャナ１８から取り外したＡＦＣ４６をスキャナ１８に取り付ける作業である。
【００２８】
なお、番号６の「自動洗浄」は番号９の「カバー開扉」よりも前に実施しておく必要がある。それ以外の作業についてはどの順で実施してもよい。番号１１の「ＡＦＣ装着」が番号１０の「スキャナ光学系およびＡＦＣ清掃」よりも後に実施されることはいうまでもない。
【００２９】
写真処理装置１０では、コントローラ１６によって番号１〜１１の作業を実施したか否かが判定される。言い換えれば、コントローラ１６によって番号１〜１１の作業の実施判定が行われる。具体的には、コントローラ１６は、作業を開始してから終了までの時間（作業時間）および通過センサ４９からの検出信号に基づいて番号３の作業を実施判定し、作業時間および液量センサ３８からの検出信号に基づいて番号７の作業を実施判定し、作業時間および液量センサ３６からの検出信号に基づいて番号８の作業を実施判定し、作業時間および開閉センサ４２からの検出信号に基づいて番号９の作業を実施判定し、作業時間およびロックセンサ４８からの検出信号に基づいて番号１０，１１の作業を実施判定する。つまり、番号３，７〜１１の作業については、作業時間および装置の状態に基づいて実施判定する。また、番号１，２，４〜６の作業については、作業時間のみに基づいて実施判定する。
【００３０】
また、写真処理装置１０では、終業点検を構成する複数の作業のうち実施することを許可する作業の数がオペレータの種類によって異なる。オペレータの種類は予め複数設定されており、終業点検するオペレータの技能（習熟度）に応じて複数のオペレータの種類のうちいずれか１つのオペレータの種類が選択される。
【００３１】
この実施形態では、オペレータの種類として「上級」および「初級」の２種類が予め設定されているものとする。オペレータの種類として「上級」が選択された場合、オペレータは終業点検を構成する複数の作業のうち全ての作業を実施することが許可される。一方、オペレータの種類として「初級」が選択された場合、オペレータは終業点検を構成する複数の作業のうち少なくとも１つの作業を実施することが許可されない。この実施形態では、オペレータの種類として「初級」が選択された場合、オペレータは表１の番号１〜４，１０，１１の作業を実施することが許可されない。ＨＤＤ１６ｄのハードディスクには、オペレータの種類「初級」に関連付けて、表１の番号１〜４，１０，１１の作業を実施することが許可されていないことを示すフラグ等の制御用データが格納される。
【００３２】
通常、写真処理装置１０の取り扱いに習熟した上級オペレータが終業点検する場合にはオペレータの種類として「上級」が選択され、写真処理装置１０の取り扱いに不慣れなアルバイト等の初級オペレータが終業点検する場合にはオペレータの種類として「初級」が選択される。オペレータの種類は、終業点検の際に表示部２２に表示される選択画面５０上で選択される。
【００３３】
ついで、図２を参照して、選択画面５０について説明する。
選択画面５０は、終業点検するオペレータの種類を複数のオペレータの種類（ここでは「上級」および「初級」）から選択するために用いられる。選択画面５０には、表示欄５２と表示欄５２に隣接する選択ボタン５４とが設けられる。選択ボタン５４が押されることによって、表示欄５２の下方にオペレータの種類を複数表示する選択欄５６が展開され、選択欄５６で選択されたオペレータの種類が表示欄５２に表示される。図２においては、オペレータの種類として選択欄５６で「上級」が選択され、表示欄５２に「上級」が表示された状態が示されている。
【００３４】
また、選択画面５０には開始ボタン５８が設けられる。表示欄５２にオペレータの種類を表示した状態で開始ボタン５８が押されることによって、選択画面５０が表示部２２から消えるとともに、ガイダンス画面６０が表示部２２に表示される。
【００３５】
ついで、図３を参照して、ガイダンス画面６０について説明する。
ガイダンス画面６０は、選択画面５０で選択されたオペレータの種類に基づいて、オペレータに実施することを許可する作業に関する情報を表示するために用いられる。
【００３６】
図３に示すように、ガイダンス画面６０には、実施することを許可する作業に関する情報をテキストで表示する表示欄６２が設けられる。図３においては、終業点検の１１項目の作業（全ての作業）に対応して１１個の表示欄６２（６２ａ〜６２ｋとする）が設けられたガイダンス画面６０が示されている。表示欄６２ａは表１の番号１の作業に対応し、表示欄６２ａには番号１の作業に関するメッセージが表示される。同様に、表示欄６２ｂ〜６２ｋは表１の番号２〜１１の作業にそれぞれ対応し、表示欄６２ｂ〜６２ｋには番号２〜１１の作業に関するメッセージがそれぞれ表示される。
【００３７】
また、ガイダンス画面６０には、表示欄６２ａ〜６２ｋひいては表１の番号１〜１１の作業に対応して、ＹＥＳボタン６４ａ〜６４ｋと、ＮＯボタン６６ａ〜６６ｋとが設けられる。ＹＥＳボタン６４ａ〜６４ｋが押されることによって、図示しない画面が表示部２２に表示され、当該画面上で表１の番号１〜１１の作業を実施するためのデータ入力や指示が行われる。また、ＮＯボタン６６ａ〜６６ｋが押されることによって、表１の番号１〜１１の作業が実施されたものとみなされ、番号１〜１１の作業がキャンセルされる。
【００３８】
この実施形態では、或る作業に対応するＹＥＳボタン６４が押されてから他の作業に対応するＹＥＳボタン６４、他の作業に対応するＮＯボタン６６、またはＯＫボタン６８（後述）が押されるまでの時間が、当該或る作業の作業時間としてコントローラ１６に取得される。具体的には、たとえば、番号１の作業に対応するＹＥＳボタン６４ａが押された後に番号２の作業に対応するＹＥＳボタン６４ｂが押された場合、ＹＥＳボタン６４ａが押されてからＹＥＳボタン６４ｂが押されるまでの時間が番号１の作業の作業時間として取得される。
【００３９】
なお、この実施形態では、或る作業に対応するＹＥＳボタン６４が押された後に当該或る作業に対応するＮＯボタン６６が押された場合、たとえば所定のメッセージ等を表示部２２に表示し、無効な入力として取り扱うものとする。
【００４０】
図３にはオペレータの種類として「上級」が選択され、オペレータに全ての作業を実施することを許可した状態のガイダンス画面６０が示されている。ちなみに、オペレータの種類として「初級」が選択された場合、図４に示すようなガイダンス画面６０が表示される。図４に示すガイダンス画面６０では、図３に示すガイダンス画面６０から表示欄６２ａ〜６２ｄ，６２ｊ，６２ｋ、ＹＥＳボタン６４ａ〜６４ｄ，６４ｊ，６４ｋ、およびＮＯボタン６６ａ〜６６ｄ，６６ｊ，６６ｋが削除されている。
【００４１】
また、図３および図４に示すように、ガイダンス画面６０には、ＯＫボタン６８が設けられる。ＯＫボタン６８が押されることによって、ガイダンス画面６０が表示部２２から消えるとともに、終業点検を構成する複数の作業のうち実施されていない作業（未実施の作業）がある場合には図５に示すような報知画面７０が表示部２２に表示される。
【００４２】
ついで、図５を参照して、報知画面７０について説明する。
報知画面７０は、未実施の作業をオペレータに報知するために用いられる。報知画面７０には、未実施の作業の項目名を表示する表示欄７２が設けられる。
【００４３】
この実施形態では終業点検が１１項目の作業によって構成されるので、何ら作業を実施していない状態でガイダンス画面６０のＯＫボタン６８が押された場合、報知画面７０には表１の番号１〜１１の作業にそれぞれ対応する１１個の表示欄７２が設けられる。図５には、表１の番号５〜９の作業を実施した状態で表示される報知画面７０が示されている。したがって、図５に示す報知画面７０には、表１の番号１〜４，１０，１１の作業の項目名を表示する表示欄７２（７２ａ〜７２ｄ，７２ｊ，７２ｋとする）が設けられる。
【００４４】
また、報知画面７０には、続きから実施ボタン７４が設けられる。続きから実施ボタン７４が押されることによって、報知画面７０が表示部２２から消えるとともに、選択画面５０が表示部２２に表示される。これと同時に、次にガイダンス画面６０を表示する際に、実施することを許可する作業のうち未実施の作業に対応する表示欄６２をガイダンス画面６０に設ける設定がなされる。具体的には、たとえば、表１の番号５〜９の作業が実施済みでありかつ続きから実施ボタン７４が押された後に選択画面５０で「上級」が選択された場合、図６に示すガイダンス画面６０を表示する設定がなされる。図６に示すガイダンス画面６０では、図３に示すガイダンス画面６０から表１の番号５〜９の作業に対応する表示欄６２ｅ〜６２ｉ、ＹＥＳボタン６４ｅ〜６４ｉ、およびＮＯボタン６６ｅ〜６６ｉが削除されている。
【００４５】
また、報知画面７０には、やり直しボタン７６が設けられる。やり直しボタン７６が押されることによって、報知画面７０が表示部２２から消えるとともに、選択画面５０が表示部２２に表示される。これと同時に、次にガイダンス画面６０を表示する際に、実施することを許可する作業のうち実施済みの作業に対応する表示欄６２と未実施の作業に対応する表示欄６２とを識別できるように未実施の作業に対応する表示欄６２のテキストの色を変更する設定がなされる。具体的には、たとえば、表１の番号５〜９の作業が実施済みでありかつやり直しボタン７６が押された後に選択画面５０で「上級」が選択された場合、図７に示すガイダンス画面６０を表示する設定がなされる。図７に示すガイダンス画面６０では、表１の番号１〜４，１０，１１の作業に対応する表示欄６２ａ〜６２ｄ，６２ｊ，６２ｋのテキストの色に対して、表１の番号５〜９の作業に対応する表示欄６２ｅ〜６２ｉのテキストの色が変更される。なお、図７においては、テキストの色が異なることを示すために表示欄６２ｅ〜６２ｉに斜線を付す。
【００４６】
ついで、図８を参照して、終業点検における写真処理装置１０の動作について説明する。
まず、入力部２０からの指示に従ってＨＤＤ１６ｄに格納される終業点検用プログラムがＲＡＭ１６ｃに展開され、終業点検モードに入り、設定画面５０（図２参照）が表示部２２に表示される（ステップＳ１）。
【００４７】
つづいて、設定画面５０で「初級」が選択され開始ボタン５８が押されると（ステップＳ３がＹＥＳ）、ＨＤＤ１６ｄに格納される制御用データに基づいて実施することを許可しない作業に対応する表示欄６２をガイダンス画面６０（図３参照）から削除する設定がなされる（ステップＳ５）。具体的には、表１の番号１〜４，１０，１１の作業に対応する表示欄６２ａ〜６２ｄ，６２ｊ，６２ｋ、ＹＥＳボタン６４ａ〜６４ｄ，６４ｊ，６４ｋ、およびＮＯボタン６６ａ〜６６ｄ，６６ｊ，６６ｋをガイダンス画面６０から削除する設定がなされる。
【００４８】
つづいて、実施することを許可する作業に対応する表示欄６２が設けられるガイダンス画面６０が表示部２２に表示される（ステップＳ７）。また、設定画面５０で「上級」が選択されると（ステップＳ３がＮＯ）、ステップＳ５を行わずに、ステップＳ７に移る。したがって、ステップＳ３で「初級」が選択された場合、終業点検モードに入って１回目のステップＳ７では、図４に示すガイダンス画面６０が表示される。一方、ステップＳ３で「上級」が選択された場合、終業点検モードに入って１回目のステップＳ７では、図３に示すガイダンス画面６０が表示される。
【００４９】
つづいて、ガイダンス画面６０の表示欄６２に表示される作業の実施判定が行われる（ステップＳ９）。ここで、図９を参照して、ステップＳ９の実施判定について詳しく説明する。
まず、ガイダンス画面６０において或る作業に対応するＹＥＳボタン６４が押されることによって（ステップＳ１０１がＹＥＳ）、当該或る作業の作業時間の計測が開始される（ステップＳ１０３）。そして、ガイダンス画面６０において他の作業に対応するＹＥＳボタン６４、他の作業に対応するＮＯボタン６６、またはＯＫボタン６８が押されることによって（ステップＳ１０５がＹＥＳ）、当該或る作業の作業時間の計測が終了され（ステップＳ１０７）、当該或る作業の作業時間が取得される。
【００５０】
つづいて、当該或る作業の作業時間と当該或る作業に対応して予め設定されている所定時間とが比較され、当該或る作業の作業時間が所定時間に対して所定範囲内（たとえば±５０％以内）であるか否かが判定される（ステップＳ１０９）。そして、作業時間が所定範囲内である場合（ステップＳ１０９がＹＥＳ）、当該或る作業が作業時間および装置の状態に基づいて実施判定する作業であるか否かが判断される（ステップＳ１１１）。そして、当該或る作業が作業時間および装置の状態に基づいて実施判定する作業である場合（ステップＳ１１１がＹＥＳ）、装置の状態が当該或る作業を実施した後の状態であるか否かが判定される（ステップＳ１１３）。つまり、当該或る作業が表１の番号３，７〜１１の作業である場合、装置が実施済み状態であるか否か判定される。
【００５１】
具体的にステップＳ１１３では、当該或る作業が番号３の作業である場合、クリーニングリーダの搬送を通過センサ４９が検出していれば実施済み状態であると判定される（ＹＥＳになる）。当該或る作業が番号７の作業である場合、廃液タンク３４内の液量が所定量以下であることを液量センサ３８が検出していればステップＳ１１３がＹＥＳになる。当該或る作業が番号８の作業である場合、給水タンク３２内の液量が所定量以上であることを液量センサ３６が検出していればステップＳ１１３がＹＥＳになる。当該或る作業が番号９の作業である場合、カバー４０の開扉を開閉センサ４２が検出していればステップＳ１１３がＹＥＳになる。当該或る作業が番号１０の作業である場合、ＡＦＣ４６の取り外しをロックセンサ４８が検出していればステップＳ１１３がＹＥＳになる。当該或る作業が番号１１の作業である場合、ＡＦＣ４６の取り付けをロックセンサ４８が検出していればステップＳ１１３がＹＥＳになる。
【００５２】
そして、ステップＳ１１３がＹＥＳである場合、当該或る作業が適正に実施されたと判定して、実施フラグをオンにし（ステップＳ１１５）、実施判定を終了する。当該或る作業が作業時間のみに基づいて実施判定する作業である場合（ステップＳ１１１がＮＯ）、具体的には当該或る作業が表１の１，２，４〜６の作業である場合も同様である。また、いずれのＹＥＳボタン６４も押されず（ステップＳ１０１がＮＯ）、或る作業に対応するＮＯボタン６６が押された場合（ステップＳ１１７がＹＥＳ）についても同様である。
【００５３】
なお、「実施フラグ」とは、実施済みであるか否かをオンとオフとで判断するために、終業点検の各作業に関連付けられるデータである。実施フラグがオンの作業は実施済みであると判断され、実施フラグがオフの作業は未実施であると判断される。終業点検モードに入った時点では、全ての作業の実施フラグがオフに設定されている。
【００５４】
一方、装置が実施済み状態ではない場合（ステップＳ１１３がＮＯ）、当該或る作業が適正に実施されていないと判定して、ステップＳ１１５を行わずに実施判定を終了する。作業時間が所定範囲内でない場合（ステップＳ１０９がＮＯ）も同様である。
【００５５】
図８に戻って、ガイダンス画面６０のＯＫボタン６８が押されることによって（ステップＳ１１がＹＥＳ）、実施フラグがオフの作業があるか否かが判断される（ステップＳ１３）。つまり、未実施の作業があるか否かが判断される。未実施の作業がない場合（ステップＳ１３がＮＯ）、終業点検を終了する。
【００５６】
一方、未実施の作業がある場合（ステップＳ１３がＹＥＳ）、未実施の作業に対応する表示欄７２が設けられる報知画面７０（図５参照）が表示部２２に表示される（ステップＳ１５）。そして、報知画面７０で続きから実施ボタン７４が押されると（ステップＳ１７がＹＥＳ）、実施フラグがオンの作業に対応する表示欄６２をガイダンス画面６０から削除する設定がなされる（ステップＳ１９）。つまり、実施済みの作業に対応する表示欄６２をガイダンス画面６０から削除する設定がなされる。
【００５７】
つづいて、実施済みの作業に対応する表示欄６２のテキストの色を変更する設定がなされているか否かが判断される（ステップＳ２１）。そして、実施済みの作業に対応する表示欄６２のテキストの色を変更する設定がなされている場合（ステップＳ２１がＹＥＳ）、テキストの色を変更する設定を解除し（ステップＳ２３）、実施することを許可しない作業に対応する表示欄６２を削除する設定を解除し（ステップＳ２５）、ステップＳ１に戻る。一方、実施済みの作業に対応する表示欄６２のテキストの色を変更する設定がなされていない場合（ステップＳ２１がＮＯ）、ステップＳ２３を行わずにステップＳ２５に移り、ステップＳ１に戻る。その後、ステップＳ１３がＮＯになれば、終業点検を終了する。
【００５８】
一方、報知画面７０でやり直しボタン７６が押されると（ステップＳ１７がＮＯ）、実施済みの作業に対応する表示欄６２のテキストの色を変更する設定がなされる（ステップＳ２７）。そして、実施済みの作業に対応する表示欄６２を削除する設定がなされているかが判断される（ステップＳ２９）。そして、実施済みの作業に対応する表示欄６２を削除する設定がなされている場合（ステップＳ２９がＹＥＳ）、削除する設定を解除し（ステップＳ３１）、ステップＳ２５に移り、ステップＳ１に戻る。一方、実施済みの作業に対応する表示欄６２を削除する設定がなされていない場合（ステップＳ２９がＮＯ）、ステップＳ３１の処理を行わずにステップＳ２５に移り、ステップＳ１に戻る。その後、ステップＳ１３がＮＯになれば、終業点検を終了する。
【００５９】
なお、表１の番号５〜９の作業が実施済みでありかつステップＳ３がＹＥＳである場合、ステップＳ７ではガイダンス画面６０に表示欄６２が１つも設けられないこととなるので、表示部２２に所定のメッセージを表示してステップＳ１に戻るようにしてもよい。
また、報知画面７０に保留ボタンを設け、保留ボタンが押されることによってステップＳ１３がＹＥＳであっても終業点検を終了させるようにしてもよい。
【００６０】
このような写真処理装置１０によれば、終業点検に関する作業の作業時間が所定範囲内でありかつ装置の状態が作業を実施した後の状態である場合、作業が適正に実施されたと判定する。このように作業時間と装置の状態とに基づいて実施判定を行うことによって、終業点検に関する作業が適正に実施されたか否かの判定結果の信頼性を向上できる。表１の番号７の作業では廃液タンク３４内の液量が所定量以下であっても作業が実施されたか否かは不確かであるので、この発明が特に有効となる。同様に、番号８の作業では給水タンク３２内の液量が所定量以上であっても作業が実施されたか否かは不確かであるので、この発明が特に有効となる。
【００６１】
なお、上述の実施形態では、作業時間および装置の状態に基づいて実施判定する場合と作業時間のみに基づいて実施判定する場合とを作業の項目に応じて使い分ける場合について説明したが、これに限定されない。たとえば表１の３，９〜１１の作業については装置の状態のみに基づいて実施判定するようにしてもよい。
【００６２】
さらに、上述の実施形態では、この発明の実施判定方法を写真処理装置１０の終業点検に適用する場合について説明したが、これに限定されない。この発明の実施判定方法は、任意の装置の任意のメンテナンスに適用できる。
【図面の簡単な説明】
【００６３】
【図１】この発明が適用される写真処理装置を示す図解図である。
【図２】図１の写真処理装置の表示部に表示される選択画面の一例を示す図解図である。
【図３】図１の写真処理装置の表示部に表示されるガイダンス画面の一例を示す図解図である。
【図４】図１の写真処理装置の表示部に表示されるガイダンス画面の他の例を示す図解図である。
【図５】図１の写真処理装置の表示部に表示される報知画面の一例を示す図解図である。
【図６】図１の写真処理装置の表示部に表示されるガイダンス画面のその他の例を示す図解図である。
【図７】図１の写真処理装置の表示部に表示されるガイダンス画面のその他の例を示す図解図である。
【図８】図１の写真処理装置の終業点検における動作の一例を示すフロー図である。
【図９】図８の動作における実施判定処理の一例を示すフロー図である。
【符号の説明】
【００６４】
１０      写真処理装置
１６      コントローラ
２２      表示部
６０      ガイダンス画面
６４      ＹＥＳボタン
６６      ＮＯボタン
６８      ＯＫボタン
【図１】
2007226622.tif 000004
【図２】
2007226622.tif 000005
【図３】
2007226622.tif 000006
【図４】
2007226622.tif 000007
【図５】
2007226622.tif 000008
【図６】
2007226622.tif 000009
【図７】
2007226622.tif 000010
【図８】
2007226622.tif 000011
【図９】
2007226622.tif 000012